(57)【要約】【課題】形状の異なる浴槽に交換された場合に、ユーザーの利便性の低下を防止しつつ、浴槽断面積のデータを再び学習することのできる給湯装置を提供する。【解決手段】給湯装置１は、湯はり運転のときの、湯はり湯量、湯はり水位、及び湯はり温度のうちの少なくとも一つを含む湯はり情報をユーザーが設定可能にする設定手段と、湯はり運転のときに浴槽断面積を計算する機能を有する制御装置３０と、浴槽断面積及び湯はり情報を記憶する記憶手段と、記憶手段に記憶された浴槽断面積のデータを消去する断面積データ消去操作を受け付ける受付手段と、を備える。断面積データ消去操作が行われた場合に、記憶手段に記憶された湯はり情報は消去されることなく保持される。【選択図】図１
2018179350.tif 000002
【特許請求の範囲】
【請求項１】
浴槽へ供給される湯が通る風呂配管と、
前記風呂配管の流量を検出する流量検出手段と、
前記浴槽の水位を検出する水位検出手段と、
前記浴槽に湯はりする湯はり運転のときに、前記流量検出手段により検出された情報及び前記水位検出手段により検出された情報に基づいて、前記浴槽内の空間を水平面で切断した断面積である浴槽断面積を計算する機能を有する制御手段と、
前記湯はり運転のときの、湯はり湯量、湯はり水位、及び湯はり温度のうちの少なくとも一つを含む湯はり情報をユーザーが設定可能にする設定手段と、
前記浴槽断面積と、前記湯はり情報とを記憶する記憶手段と、
前記記憶手段に記憶された前記浴槽断面積のデータを消去する断面積データ消去操作を受け付ける受付手段と、
を備え、
前記断面積データ消去操作が行われた場合に、前記記憶手段に記憶された前記湯はり情報は消去されることなく保持される、
給湯装置。
【請求項２】
前記断面積データ消去操作が行われた場合に、前記制御手段は、次回の前記湯はり運転のときに再び前記浴槽断面積を計算し、その計算された前記浴槽断面積が前記記憶手段に記憶される請求項１に記載の給湯装置。
【請求項３】
前記制御手段は、過去の使用湯量を学習する機能を有し、
前記記憶手段は、前記使用湯量の学習データを記憶可能であり、
前記断面積データ消去操作が行われた場合に、前記記憶手段に記憶された前記学習データは消去されることなく保持される請求項１または請求項２に記載の給湯装置。
【請求項４】
ユーザーが前記設定手段に対して所定の特殊操作を行うと、前記受付手段は、前記断面積データ消去操作を受け付ける請求項１から請求項３のいずれか一項に記載の給湯装置。
【請求項５】
前記湯はり運転の実行中、及び、前記浴槽の水位及び湯温を保つためのふろ自動運転の実行中には、前記受付手段は、前記断面積データ消去操作を受け付けない請求項１から請求項４のいずれか一項に記載の給湯装置。
【請求項６】
前記断面積データ消去操作が行われた後の初回の前記湯はり運転が、前記浴槽内に水が溜まっていない状態から開始される場合に、前記制御手段は、前記浴槽断面積の計算を実行する請求項１から請求項５のいずれか一項に記載の給湯装置。
【請求項７】
前記断面積データ消去操作が行われた後の初回の前記湯はり運転の開始時に、前記浴槽内に水が溜まっている場合には、前記浴槽内を排水してから前記湯はり運転を行うべきことをユーザーに報知する手段を備える請求項１から請求項６のいずれか一項に記載の給湯装置。
【請求項８】
前記断面積データ消去操作が行われた後の初回の前記湯はり運転の開始時に、前記浴槽内に水が溜まっている場合には、前記制御手段は、前記湯はり運転を中止する請求項１から請求項７のいずれか一項に記載の給湯装置。
【請求項９】
前記記憶手段に記憶された前記浴槽断面積の情報を、ユーザー操作に応じて表示可能な表示手段を備える請求項１から請求項８のいずれか一項に記載の給湯装置。
【請求項１０】
前記断面積データ消去操作が行われた後の前記湯はり運転において前記制御手段が前記浴槽断面積を計算する場合に、湯はり時間が通常よりも長くなることをユーザーに報知する手段を備える請求項１から請求項９のいずれか一項に記載の給湯装置。
【発明の詳細な説明】
【技術分野】
【０００１】
本発明は、給湯装置に関する。
【背景技術】
【０００２】
給湯装置において、浴槽の水位を水位センサにより検出し、水位が低下したときに、浴槽へ足し湯する量を、メモリに記憶されている浴槽断面積の値に基づいて制御する技術が知られている。そのような給湯装置は、設置後初めて浴槽に湯はりするときに、給湯量を検出する流量センサ及び上記水位センサで検出される情報に基づいて、浴槽断面積を計算する動作を行い、その計算された浴槽断面積のデータをメモリに記憶する。
【０００３】
浴室のリフォームなどに伴って、浴槽が形状の異なるものに交換される場合がある。そのような場合には、浴槽断面積を計算する動作が再び必要になる。下記特許文献１に開示された給湯装置は、浴槽への設定湯量または浴槽の基準水位がユーザーにより変更された場合に、次回の湯はりの際に、浴槽断面積を再計算する動作を実行するように構成されている。特許文献１の発明によれば、浴槽が交換された場合に、浴槽断面積のデータを消去する操作をユーザーが行わなくても、浴槽断面積を再計算する動作が実行される。
【先行技術文献】
【特許文献】
【０００４】
【特許文献１】特開２００１−２３５２２４号公報
【発明の概要】
【発明が解決しようとする課題】
【０００５】
浴槽断面積を計算する動作を伴う湯はりは、通常の湯はりに比べて、長い時間を要する。特許文献１の発明では、浴槽の形状に変更がない場合、すなわち浴槽断面積を再計算する必要がない場合であっても、浴槽への設定湯量または浴槽の基準水位をユーザーが変更する都度、浴槽断面積を計算する動作が実行される。そのたびに、湯はりに要する時間が長くなるので、ユーザーの利便性を損なうという課題がある。
【０００６】
本発明は、上述のような課題を解決するためになされたもので、形状の異なる浴槽に交換された場合に、ユーザーの利便性の低下を防止しつつ、浴槽断面積のデータを再び学習することのできる給湯装置を提供することを目的とする。
【課題を解決するための手段】
【０００７】
本発明に係る給湯装置は、浴槽へ供給される湯が通る風呂配管と、風呂配管の流量を検出する流量検出手段と、浴槽の水位を検出する水位検出手段と、浴槽に湯はりする湯はり運転のときに、流量検出手段により検出された情報及び水位検出手段により検出された情報に基づいて、浴槽内の空間を水平面で切断した断面積である浴槽断面積を計算する機能を有する制御手段と、湯はり運転のときの、湯はり湯量、湯はり水位、及び湯はり温度のうちの少なくとも一つを含む湯はり情報をユーザーが設定可能にする設定手段と、浴槽断面積と、湯はり情報とを記憶する記憶手段と、記憶手段に記憶された浴槽断面積のデータを消去する断面積データ消去操作を受け付ける受付手段と、を備え、断面積データ消去操作が行われた場合に、記憶手段に記憶された湯はり情報は消去されることなく保持されるものである。
【発明の効果】
【０００８】
本発明によれば、形状の異なる浴槽に交換された場合に、ユーザーの利便性の低下を防止しつつ、浴槽断面積のデータを再び学習することが可能となる。
【図面の簡単な説明】
【０００９】
【図１】実施の形態１による給湯装置を示す図である。
【図２】実施の形態１の給湯装置のブロック図である。
【図３】リモコン装置が断面積データ消去操作を受け付けるときの表示部の画面の例を示す図である。
【図４】実施の形態１による給湯装置の制御装置による処理を示すフローチャートである。
【図５】浴槽内を排水してから湯はり運転を行うべきことをユーザーに報知するための表示部の画面の例を示す図である。
【図６】湯はり時間が通常よりも長くなることをユーザーに報知するための表示部の画面の例を示す図である。
【図７】記憶部に記憶された浴槽断面積のデータを表示部に表示するときの画面の例を示す図である。
【発明を実施するための形態】
【００１０】
以下、図面を参照して実施の形態について説明する。各図において共通または対応する要素には、同一の符号を付して、重複する説明を簡略化または省略する。
【００１１】
実施の形態１．
図１は、実施の形態１による給湯装置を示す図である。図１に示す本実施の形態の給湯装置１は、貯湯式の給湯装置である。給湯装置１は、熱源機２及びタンクユニット３を備える。熱源機２は、水を加熱する加熱手段の例である。熱源機２は、ヒートポンプ式の加熱装置でもよい。タンクユニット３には、貯湯タンク１０、湯水混合弁１１、制御装置３０等が搭載されている。
【００１２】
往き管４０は、貯湯タンク１０の下部と、熱源機２の入口との間をつなぐ。往き管４０の途中に循環ポンプ４１が接続されている。戻り管４２は、熱源機２の出口と、貯湯タンク１０の上部との間をつなぐ。貯湯タンク１０に湯を蓄積する運転のときには、以下のようになる。熱源機２及び循環ポンプ４１が運転される。貯湯タンク１０の下部から取り出された低温水が往き管４０を通って熱源機２へ送られる。熱源機２で加熱された湯すなわち高温水が、戻り管４２を通ってタンクユニット３へ送られ、貯湯タンク１０の上部に流入する。貯湯タンク１０内で上から下へ向かって湯が蓄積されていく。
【００１３】
貯湯タンク１０には、複数の貯湯温度センサ９が、鉛直方向の異なる位置に、設置されている。これらの貯湯温度センサ９により、貯湯タンク１０内の鉛直方向の温度分布を検出することで、制御装置３０が貯湯タンク１０内の蓄熱量及び貯湯量を把握できる。
【００１４】
給湯配管８は、貯湯タンク１０の上部と、湯水混合弁１１の湯入口との間をつなぐ。給水配管７は、水道等の水源に接続されている。水源から供給される水が給水配管７を通ってタンクユニット３に入る。給水配管７の下流部は、タンクユニット３内で分岐し、貯湯タンク１０の下部と、湯水混合弁１１の水入口とにそれぞれ接続されている。湯水混合弁１１の出口には、風呂配管４の一端が接続されている。
【００１５】
タンクユニット３と、浴室にある浴槽６０との間は、浴槽往き管５及び浴槽戻り管６を介して接続されている。浴槽往き管５の一端及び浴槽戻り管６の一端は、浴槽６０に接続されている。タンクユニット３内で、浴槽往き管５の他端と、浴槽戻り管６の他端と、風呂配管４の他端とが、互いに連通している。
【００１６】
風呂配管４の途中には、流量調節弁１３及び流量センサ１７が備えられている。流量調節弁１３は、風呂配管４を開閉する。流量調節弁１３により、風呂配管４を通る湯の量を調節できる。流量センサ１７は、風呂配管４を通る湯の流量を検出する。タンクユニット３内にある部分の浴槽往き管５には、水位センサ１５が備えられている。水位センサ１５は、浴槽往き管５内の水圧に基づいて、浴槽６０の水位を検出できる。水位センサ１５は、浴槽６０の底を基準にして水位を検出するものではない。水位センサ１５は、水位センサ１５の取付け位置を基準にして浴槽６０の水位を検出する。浴槽往き管５、浴槽戻り管６、及び風呂配管４が合流する位置には、湯の温度を検出する温度センサ１９が備えられている。
【００１７】
制御装置３０は、熱源機２、湯水混合弁１１、及び流量調節弁１３の動作を制御する。制御装置３０は、タンクユニット３の外部にあるリモコン装置３５に対し、有線通信または無線通信により、双方向にデータ通信可能に接続されている。リモコン装置３５は、端末装置またはユーザーインターフェースの例である。リモコン装置３５は、浴槽６０のある浴室に設置されてもよい。
【００１８】
浴槽６０へ湯を供給するときには、以下のようになる。流量調節弁１３が開かれる。貯湯タンク１０の上部から給湯配管８を介して供給される高温の湯と、給水配管７から供給される低温水とが、湯水混合弁１１にて混合される。その混合された湯が、風呂配管４を通過し、浴槽往き管５と浴槽戻り管６とに分かれて流れ、浴槽６０内へ注入される。以下の説明では、浴槽６０に溜められた湯水を「浴槽水」と呼ぶ場合がある。
【００１９】
浴槽往き管５及び浴槽戻り管６により、浴槽６０内の浴槽水を循環させる循環回路が形成される。浴槽戻り管６の途中に、浴槽水を循環させる循環ポンプ１４が設置されている。浴槽戻り管６には、循環回路の浴槽水の流れを検出するフロースイッチ１６が設けられている。浴槽往き管５または浴槽戻り管６の途中に、浴槽水を加熱する熱交換器のような浴槽水加熱手段（図示省略）が備えられている。追焚運転においては、以下のようになる。循環ポンプ１４が運転され、浴槽６０からの浴槽水が浴槽戻り管６を通って浴槽水加熱手段に流入する。浴槽水加熱手段にて加熱された浴槽水は、浴槽往き管５を通り、浴槽６０内に戻る。このような追焚運転を実施することで、浴槽６０内の浴槽水の温度を上昇させることができる。
【００２０】
図２は、実施の形態１の給湯装置１のブロック図である。図２に示すように、制御装置３０は、熱源機駆動部２０、混合弁駆動部２１、流量調節弁駆動部２２、第１ＡＤ（アナログ−ディジタル）変換部２３、パルス検出部２４、第２ＡＤ変換部２５、制御部２６、記憶部２７、通信回路部２８、及び検出部２９を備える。
【００２１】
リモコン装置３５は、ユーザー操作を受け付けるボタン等を有する操作部３１と、液晶ディスプレイ等からなる表示部３３とを備える。リモコン装置３５は、音声案内を出力可能な音声出力部などをさらに備えてもよい。ユーザーは、給湯装置１の各種の運転または動作の設定、予約、実行指令、停止指令等をリモコン装置３５へ入力できる。
【００２２】
ユーザーは、操作部３１を操作することにより、浴槽６０に湯を溜める湯はり運転を開始させたり、湯はり運転の時刻を予約したりすることができる。ユーザーは、操作部３１を操作することで、湯はり湯量、湯はり水位、及び湯はり温度のうちの少なくとも一つを設定できる。「湯はり湯量」は、湯はり運転において浴槽６０に溜める湯の総量である。「湯はり水位」は、湯はり運転において浴槽６０に溜める湯の水位である。「湯はり温度」は、湯はり運転において浴槽６０に溜める湯の温度である。以下の説明では、湯はり湯量、湯はり水位、及び湯はり温度のうちの少なくとも一つを含む情報を「湯はり情報」と呼ぶ場合がある。リモコン装置３５は、操作部３１に対するユーザー操作に応じて、湯はり情報を表示部３３に表示させることができる。
【００２３】
制御装置３０は、ユーザーがリモコン装置３５へ入力した指令及び情報、水位センサ１５、フロースイッチ１６、流量センサ１７、及び温度センサ１９で検出された情報に基づいて、熱源機２、湯水混合弁１１、及び流量調節弁１３の動作を制御する。
【００２４】
熱源機駆動部２０は、制御部２６による制御の下に熱源機２の動作を制御する。混合弁駆動部２１は、制御部２６による制御の下に湯水混合弁１１の動作を制御する。流量調節弁駆動部２２は、制御部２６による制御の下に流量調節弁１３の動作を制御する。第１ＡＤ変換部２３は、水位センサ１５から送られているアナログの検出信号をディジタル信号に変換して制御部２６に送る。パルス検出部２４は、流量センサ１７から送られてくるパルス信号を検出して検出結果を制御部２６に送る。第２ＡＤ変換部２５は、温度センサ１９から送られているアナログの検出信号をディジタル信号に変換して制御部２６に送る。検出部２９は、フロースイッチ１６から送られてくるオン信号を検出して検出結果を制御部２６に送る。
【００２５】
制御部２６は、沸き上げ制御部２６ａ、湯はり制御部２６ｂ、及び足し湯制御部２６ｃを備える。沸き上げ制御部２６ａは、貯湯タンク１０内に必要量の湯が貯湯されるように、熱源機駆動部２０の動作を制御する。湯はり制御部２６ｂは、第２ＡＤ変換部２５から送られてくる信号を基に温度センサ１９の検出温度を求め、該検出温度とリモコン装置３５に対してユーザーが設定した湯はり温度とを基に混合弁駆動部２１の動作を制御して、浴槽６０へ供給される湯の温度を制御する。湯はり制御部２６ｂは、パルス検出部２４から送られてくる信号を基に流量センサ１７の検出湯量を求め、該検出湯量とリモコン装置３５に対してユーザーが設定した湯はり湯量とを基に流量調節弁駆動部２２の動作を制御して、浴槽６０に溜める湯の量を制御する。足し湯制御部２６ｃは、浴槽６０に湯を補給する足し湯動作のときに、補給される湯の温度及び量を制御する。通信回路部２８は、制御部２６による制御の下に、リモコン装置３５と制御部２６との間の通信、すなわち情報の送受信を制御する。
【００２６】
記憶部２７には、制御部２６の制御プログラムが予め記憶されている。また、記憶部２７には、ユーザーにより設定された湯はり情報が記憶されている。
【００２７】
制御装置３０は、過去の使用湯量を学習する機能を有する。その学習された使用湯量のデータ（以下、「学習データ」と称する）は、記憶部２７に記憶される。例えば、以下のようにしてもよい。制御装置３０は、流量センサ１７及び温度センサ１９で検出される情報に基づいて、１日に使用された湯の総量を計算して記憶部２７に記憶する。浴槽６０以外に湯を使用する系統が存在する場合には、制御装置３０は、当該系統に対して供給された湯量も使用湯量に加算する。例えばシャワー、流し台、洗面台などの給湯栓へ給湯する混合弁（図示省略）を備える場合には、制御装置３０は、当該混合弁から供給された湯量を使用湯量に加算する。制御装置３０は、記憶部２７に記憶された学習データに基づいて、貯湯タンク１０の貯湯量または蓄熱量を制御する。例えば、制御装置３０は、過去複数日間（例えば、過去２週間）の使用湯量を統計処理した値などに基づいて、貯湯タンク１０の貯湯量または蓄熱量を制御してもよい。
【００２８】
以下の説明では、浴槽６０内の空間を水平面で切断した断面積を「浴槽断面積」という。制御装置３０は、湯はり運転のときに、流量センサ１７及び水位センサ１５で検出された情報に基づいて、浴槽断面積を計算できる。例えば、湯はり制御部２６ｂは、浴槽６０への給湯量を流量センサ１７で検出し、その給湯量に対する浴槽６０の水位の変化量を水位センサ１５で検出し、給湯量と水位変化量とから浴槽断面積を計算する。計算された浴槽断面積のデータは、記憶部２７に記憶される。
【００２９】
本実施の形態における給湯装置１は、ふろ自動運転を実行可能である。ふろ自動運転においては、以下のようになる。制御装置３０は、浴槽６０の水位及び湯温を維持するように制御する。浴槽６０の水位の低下が検出されると、足し湯制御部２６ｃは、浴槽６０に湯を補給する足し湯動作を行う。足し湯動作により補給される湯の量を「足し湯量」と称する。足し湯制御部２６ｃは、水位センサ１５で検出された水位低下量と、記憶部２７に記憶された浴槽断面積とに基づいて、必要な足し湯量を計算する。また、制御装置３０は、浴槽６０の湯温の低下が検出された場合には、追焚運転を実行する。
【００３０】
例えば、浴室のリフォームなどにより、浴槽６０が、形状の異なるものに交換されることがある。その場合には、新しい浴槽６０についての浴槽断面積を計算する必要がある。交換前の浴槽断面積のデータに基づいて足し湯動作が行われると、適正な足し湯量を計算できず、足し湯量の過不足が生じうるためである。
【００３１】
本実施の形態において、リモコン装置３５は、「断面積データ消去操作」を受け付け可能である。「断面積データ消去操作」は、記憶部２７に記憶された浴槽断面積のデータを消去するためのユーザー操作である。形状の異なる浴槽６０に交換された場合には、ユーザーは、リモコン装置３５に対して断面積データ消去操作を行う。断面積データ消去操作が行われると、記憶部２７に記憶された浴槽断面積のデータが消去される。断面積データ消去操作が行われた場合には、制御装置３０は、次回の湯はり運転のときに、流量センサ１７及び水位センサ１５で検出された情報に基づいて、浴槽断面積を再び計算する。その新たに計算された浴槽断面積のデータが記憶部２７に記憶される。このように、形状の異なる浴槽６０に交換された場合には、断面積データ消去操作を行うことで、浴槽断面積のデータを更新することができる。
【００３２】
断面積データ消去操作が行われた場合に、記憶部２７に記憶された湯はり情報は、消去されることなく保持される。これにより、以下の効果が得られる。断面積データ消去操作を行った場合でも、ユーザーが設定した、湯はり湯量、湯はり水位、あるいは湯はり温度の情報は、記憶部２７に記憶されている。よって、ユーザーは、湯はり湯量、湯はり水位、あるいは湯はり温度を再び設定する作業をする必要がないので、利便性に優れる。
【００３３】
断面積データ消去操作が行われた場合に、記憶部２７に記憶された使用湯量の学習データは、消去されることなく保持される。これにより、以下の効果が得られる。断面積データ消去操作を行った場合でも、過去の使用湯量の学習データは、記憶部２７に記憶されている。よって、断面積データ消去操作を行った場合でも、制御装置３０は、使用湯量の学習データに基づいて、貯湯タンク１０の貯湯量または蓄熱量を適正に制御できる。よって、貯湯タンク１０の貯湯量または蓄熱量の過不足を招くことを防止できるので、利便性に優れる。
【００３４】
リモコン装置３５は、ユーザーが操作部３１に対して所定の特殊操作を行うと、断面積データ消去操作を受け付ける。「特殊操作」とは、リモコン装置３５に対してユーザーが日常的に行う操作とは異なる操作である。例えば、「特殊操作」は、操作部３１の第１入力ボタン３７及び第２入力ボタン３８を同時に長押しする（例えば５秒間続けて押す）操作でもよい。第１入力ボタン３７は、例えば、通常時には温度設定に使用される入力ボタンでもよい。第２入力ボタン３８は、例えば、通常時には湯量設定に使用される入力ボタンでもよい。特殊操作によって断面積データ消去操作を受け付けるようにすることで、記憶部２７の浴槽断面積のデータが誤って消去されてしまうことを確実に防止できる。
【００３５】
図３は、リモコン装置３５が断面積データ消去操作を受け付けるときの表示部３３の画面の例を示す図である。図３の（ａ）の「ホーム画面」は、ふろ自動運転の実行中でないときの表示部３３の画面である。図示の例のように、ホーム画面において表示部３３は、例えば、現在の時刻を表示しても良い。
【００３６】
操作部３１に対して上記特殊操作が行われると、表示部３３は、図３の（ｂ）の「浴槽断面積消去選択メニュー」を表示する。浴槽断面積消去選択メニューでは、「浴槽断面積データをクリア」「ＹＥＳ」「ＮＯ」の語句が表示され、ユーザーは、第１入力ボタン３７の操作により、「ＹＥＳ」または「ＮＯ」のいずれかを選択できる。記憶部２７の浴槽断面積のデータの消去を希望する場合には、ユーザーは、「ＹＥＳ」を選択すればよい。
【００３７】
上記のようにして断面積データ消去操作を受け付けると、表示部３３は、図３の（ｃ）の「浴槽断面積消去ガイダンス画面」を表示する。浴槽断面積消去ガイダンス画面では、「次回の湯はりから再学習します」のような語句を表示することで、次回の湯はり運転のときに浴槽断面積の再学習が行われることをユーザーに報知する。所定時間が経過すると、表示部３３は、浴槽断面積消去ガイダンス画面に代えて、図３の（ｄ）の「ホーム画面」を表示する状態に戻る。また、図３の（ｂ）においてユーザーが「ＮＯ」を選択した場合には、表示部３３は、そのまま図３の（ｄ）の「ホーム画面」を表示する状態に戻る。
【００３８】
本実施の形態において、リモコン装置３５は、湯はり運転の実行中、及び、ふろ自動運転の実行中には、断面積データ消去操作を受け付けないようにする。これにより、湯はり運転の実行中、あるいは、ふろ自動運転の実行中に、記憶部２７の浴槽断面積のデータが誤って消去されてしまうことを確実に防止できる。
【００３９】
図４は、実施の形態１による給湯装置１の制御装置３０による処理を示すフローチャートである。本フローチャートには、断面積データ消去操作が行われた後に制御装置３０が浴槽断面積を再び計算する処理が含まれている。最初にユーザーが湯はり開始の指示をリモコン装置３５に対して入力すると、制御装置３０は、本フローチャートの処理を開始する。
【００４０】
図４のステップＳ１で、制御装置３０は、断面積データ消去操作を受け付けた記録があるかどうかを判断する。断面積データ消去操作を受け付けた記録がない場合には、ステップＳ１からステップＳ２０へ進む。ステップＳ２０で、湯はり制御部２６ｂは、通常の湯はり運転を実行する。通常の湯はり運転においては、浴槽断面積を計算する処理は実行されない。このように、ユーザーが断面積データ消去操作を行っていない場合には、湯はり運転のときに浴槽断面積を計算する処理が実行されないので、湯はり運転の完了まで要する時間が長くなることがない。これにより、優れた利便性が得られる。ステップＳ２０では、記憶部２７に記憶された湯はり情報に基づいて、湯はり湯量、湯はり水位、及び湯はり温度のうちの少なくとも一つが制御される。ステップＳ２０の後、今回の処理を終了する。
【００４１】
ステップＳ１で断面積データ消去操作を受け付けた記録がある場合には、ステップＳ２へ進む。ステップＳ２で、湯はり制御部２６ｂは、「初期湯はり運転」の処理を開始する。断面積データ消去操作が行われた後の初回の湯はり運転は、「初期湯はり運転」となる。以下に説明するように、「初期湯はり運転」には、浴槽断面積を計算する処理が含まれる。ステップＳ２からステップＳ３へ進む。
【００４２】
ステップＳ３では、以下のような浴槽水有無検出処理を行う。湯はり制御部２６ｂは、循環ポンプ１４を起動し、浴槽水を、浴槽６０、浴槽戻り管６、浴槽往き管５、浴槽６０の順に循環させる動作を行う。次に、所定の時間（例えば６０秒間）待ち、フロースイッチ１６で浴槽戻り管６の水流の有無を検出する。浴槽６０に対する浴槽往き管５及び浴槽戻り管６の接続位置の高さにまで浴槽６０内に水が溜まっている場合には、水の循環によりフロースイッチ１６がオンする。これに対し、浴槽６０内に水が溜まっていない場合にはフロースイッチ１６はオフのままである。湯はり制御部２６ｂは、フロースイッチ１６からの信号がオンであるかオフであるかにより、浴槽６０内に水が溜まっているかどうかを検出する。フロースイッチ１６での検出後は、循環ポンプ１４を停止し、浴槽水有無検出処理を終了し、ステップＳ４へ移行する。
【００４３】
ステップＳ４では、浴槽６０内に水が溜まっているかどうかを判定する。ステップＳ３の浴槽水有無検出処理の結果から、浴槽６０内に水が溜まっていると判定した場合は、ステップＳ３０へ移行する。これに対し、浴槽６０内に水が溜まっていないと判定した場合はステップＳ５へ移行する。
【００４４】
浴槽６０内に水が溜まっていない状態から湯はり運転が開始される場合には、制御装置３０は、浴槽断面積を正確に計算できる。これに対し、浴槽６０内に水が溜まっている状態から湯はり運転が開始される場合には、制御装置３０は、浴槽断面積を正確に計算できない可能性がある。本実施の形態において、制御装置３０は、不正確な浴槽断面積が計算されることを防止するため、浴槽６０内に水が溜まっている状態から湯はり運転が開始される場合には、浴槽断面積を計算する処理を実行しないようにする。
【００４５】
ステップＳ３０では、浴槽６０内に水が溜まっているため、浴槽断面積の計算をすべきでない。このステップＳ３０では、浴槽６０内を排水してから湯はり運転を行うべきことをユーザーに報知する。次いで、ステップＳ３１へ移行し、湯はり運転を中止する。
【００４６】
ステップＳ３０の報知としては、例えば、以下のようにしてもよい。図５は、浴槽６０内を排水してから湯はり運転を行うべきことをユーザーに報知するための表示部３３の画面の例を示す図である。まず、図５の（ａ）に示すように、「おふろに湯が残っています」との語句を表示部３３に所定時間（例えば５秒間）表示し、次に図５の（ｂ）に示すように「おふろの湯をぬいてから開始してください」との語句を表示部３３に所定時間（例えば５秒間）表示する。
【００４７】
このように、本実施の形態であれば、浴槽６０内に水が溜まっている場合には、湯はり運転を中止するとともに、浴槽６０内を排水してから湯はり運転を行うべきことをユーザーに知らせることができる。このため、不正確な浴槽断面積が計算されることを確実に防止できる。ステップＳ３０の報知を受けたユーザーは、浴槽６０の排水栓を開いて水を抜いた後、排水栓を閉めてから、再び、湯はり運転を開始させる操作をリモコン装置３５に対して行うと考えられる。そのようにして湯はり運転が再び開始されるまで、表示部３３は、図５の（ａ）及び（ｂ）の画面を繰り返し表示する。
【００４８】
一方、浴槽６０内に水が溜まっていない場合、すなわちステップＳ４からステップＳ５へ移行した場合には、以下のようにして浴槽断面積を計算する処理が実行される。まず、ステップＳ５では、記憶部２７に記憶された湯はり湯量の０．２倍の湯量を「目標湯量」として設定する。次にステップＳ６へ移行する。
【００４９】
ステップＳ６では、給湯処理を行う。給湯処理は、湯はり運転の積算湯量が「目標湯量」に達するまで、浴槽６０への給湯を行う動作である。湯はり制御部２６ｂは、給湯温度が、記憶部２７に記憶された湯はり温度に等しくなるように、湯水混合弁１１の開度を調整する。次に流量調節弁１３を開いて、浴槽６０へ給湯を開始する。流量センサ１７で給湯中の湯の流量をカウントし、積算湯量として加算を行う。積算湯量が、ステップＳ５で設定された目標湯量に達したら、流量調節弁１３を閉じて給湯を停止し、給湯処理を終了する。次にステップＳ７へ移行する。
【００５０】
ステップＳ７では、浴槽水有無検出処理を行う。浴槽水有無検出処理は先に記載した動作である。次にステップＳ８へ移行する。
【００５１】
ステップＳ８では、浴槽６０内に水があるかどうかを判定する。ステップＳ７での浴槽６０内の水の検出結果より、浴槽６０内に水があると判定した場合は、ステップＳ１１へ移行する。浴槽６０内に水がないと判定した場合はステップＳ９へ移行する。
【００５２】
ステップＳ９では、記憶部２７に記憶された湯はり湯量の０．１倍の湯量を現在の積算湯量に加算した湯量を「目標湯量」として設定する。次にステップＳ１０へ移行する。
【００５３】
ステップＳ１０では、給湯処理を行う。すなわち、湯はり運転の積算湯量がステップＳ９で設定した目標湯量に達するまで、浴槽６０への給湯を行う。給湯処理は、先に記載した動作である。次にステップＳ７に移行し、浴槽水有無検出処理を繰り返す。
【００５４】
ステップＳ１１では、水位センサ１５で浴槽６０の水位の検出を行う。ステップＳ８において浴槽６０内の水があると判定されたときの水位は、浴槽６０に対する浴槽往き管５及び浴槽戻り管６の接続位置の高さにほぼ等しい水位であると考えられる。このときの水位を「第１水位Ｈ１」とする。また、第１水位Ｈ１までの給湯の積算湯量を「第１積算湯量Ｖ１」とする。次にステップＳ１２へ移行する。
【００５５】
ステップＳ１２では、記憶部２７に記憶された湯はり湯量の０．９倍の湯量を「目標湯量」として設定する。次にステップＳ１３へ移行する。
【００５６】
ステップＳ１３では、給湯処理を行う。すなわち、湯はり運転の積算湯量がステップＳ１２で設定した目標湯量に達するまで、浴槽６０への給湯を行う。給湯処理は、先に記載した動作である。次にステップＳ１４に移行する。
【００５７】
ステップＳ１４では、水位センサ１５で浴槽６０の水位の検出を行う。このときに検出された水位、すなわちユーザーが設定した湯はり湯量の０．９倍の湯量の給湯を行った後の水位を「第２水位Ｈ２」とする。また、第２水位Ｈ２までの給湯の積算湯量を「第２積算湯量Ｖ２」とする。次にステップＳ１５へ移行する。
【００５８】
ステップＳ１５では、記憶部２７に記憶された湯はり湯量に等しい湯量を「目標湯量」として設定する。次にステップＳ１６へ移行する。
【００５９】
ステップＳ１６では、給湯処理を行う。すなわち、湯はり運転の積算湯量がステップＳ１５で設定した目標湯量に達するまで、浴槽６０への給湯を行う。給湯処理は、先に記載した動作である。次にステップＳ１７に移行する。
【００６０】
ステップＳ１７では、水位センサ１５で浴槽６０の水位の検出を行う。このときに検出された水位、すなわちユーザーが設定した湯はり湯量に等しい量の給湯が終わったときの水位を「第３水位Ｈ３」とする。また、第３水位Ｈ３までの給湯の積算湯量を「第３積算湯量Ｖ３」とする。次にステップＳ１８へ移行する。
【００６１】
ステップＳ１８では、以下のようにして、浴槽断面積を計算する。第１水位Ｈ１から第２水位Ｈ２までの浴槽断面積Ａ１２を、次式（１）により計算する。
Ａ１２＝（Ｖ２−Ｖ１）／（Ｈ２−Ｈ１）    ・・・（１）
第２水位Ｈ２から第３水位Ｈ３までの浴槽断面積Ａ２３を、次式（２）により計算する。
Ａ２３＝（Ｖ３−Ｖ２）／（Ｈ３−Ｈ２）    ・・・（２）
ステップＳ１８で計算された浴槽断面積の値は、記憶部２７に記憶される。これにより、記憶部２７に記憶された古い浴槽断面積のデータを消去し、新しく計算された浴槽断面積のデータを記憶部２７に記憶する処理が完了する。制御装置３０は、断面積データ消去操作を受け付けた記録を消去し、本フローチャートの処理を終了する。
【００６２】
以上のように、浴槽断面積の再学習を行い、次回以降のふろ自動運転において、記憶部２７に記憶した浴槽断面積のデータを使用して、制御を行う。例えば、湯はり運転の終了後に、足し湯制御部２６ｃは、水位センサ１５により検出された浴槽６０の水位が、第２水位Ｈ２以下に低下した場合に、足し湯を行い、湯はり完了の第３水位Ｈ３に等しい水位まで湯を補給する。足し湯開始時の浴槽６０の水位をＨａとして、足し湯すべき湯量Ｖａは、浴槽断面積Ａ２３から、次式（３）により計算される。
Ｖａ＝（Ｈ３−Ｈａ）×Ａ２３    ・・・（３）
足し湯制御部２６ｃは、上記の湯量の足し湯を行うことにより、浴槽６０の水位を、湯はり完了の第３水位Ｈ３に等しい水位に維持する。
【００６３】
ステップＳ２からステップＳ１８の初期湯はり運転では、浴槽６０への給湯を中断して水位の検出を行うので、通常の湯はり運転に比べて、湯はり完了までの時間が長くなる。このため、初期湯はり運転中は、リモコン装置３５の表示部３３に表示を行い、その旨をユーザーに報知することが望ましい。図６は、湯はり時間が通常よりも長くなることをユーザーに報知するための表示部３３の画面の例を示す図である。まず、図６の（ａ）に示すように、「おふろの水位の確認のため」との語句を表示部３３に所定時間（例えば５秒間）表示し、次に図６の（ｂ）に示すように「湯はりの時間が通常より長くなります」との語句を表示部３３に所定時間（例えば５秒間）表示し、初期の湯はり運転中、これを繰り返す。
【００６４】
記憶部２７に記憶された浴槽断面積のデータを、ユーザー操作に応じて、表示部３３に表示してもよい。図７は、記憶部２７に記憶された浴槽断面積のデータを表示部３３に表示するときの画面の例を示す図である。ユーザーが、リモコン装置３５の第１入力ボタン３７を所定時間（例えば５秒間）押し続けると、図７（ｂ）に示すように、記憶部２７に記憶したデータを選択する画面が表示部３３に表示される。浴槽断面積を選択すると、図７（ｃ）に示すように、例えば「浴槽断面積  １．５ｍ２」のように、浴槽断面積のデータが表示される。これにより、ユーザーは、学習された浴槽断面積のデータを確認することができる。
【００６５】
以上、本発明について実施の形態を一例を挙げて説明したが、本発明は上述の形態に限定されるものではない。例えば、湯はり制御部に代わって足し湯制御部が浴槽断面積を算出するように構成してもよい。また、浴槽断面積の算出のフローを変更することもできる。また、熱源機として何を用いるかは適宜選択可能であり、例えばヒータを熱源機として用いる場合、ヒータは貯湯タンクの内部に配置される。本発明については、上述したもの以外にも種々の変形、修飾、組み合わせ等が可能である。
【符号の説明】
【００６６】
１  給湯装置、  ２  熱源機、  ３  タンクユニット、  ４  風呂配管、  ５  浴槽往き管、  ６  浴槽戻り管、  ７  給水配管、  ８  給湯配管、  ９  貯湯温度センサ、  １０  貯湯タンク、  １１  湯水混合弁、  １３  流量調節弁、  １４  循環ポンプ、  １５  水位センサ、  １６  フロースイッチ、  １７  流量センサ、  １９  温度センサ、  ２６  制御部、  ２７  記憶部、  ２８  通信回路部、  ３０  制御装置、  ３１  操作部、  ３３  表示部、  ３５  リモコン装置、  ３７  第１入力ボタン、  ３８  第２入力ボタン、  ４１  循環ポンプ、  ６０  浴槽
【図１】
2018179350.tif 000003
【図２】
2018179350.tif 000004
【図３】
2018179350.tif 000005
【図４】
2018179350.tif 000006
【図５】
2018179350.tif 000007
【図６】
2018179350.tif 000008
【図７】
2018179350.tif 000009